(57)【要約】【課題】  間仕切パネルの終端部及びコーナーポストを介した連結部でも間仕切パネルに設けたハンギング溝や横目地部の外観性における連続性を有する間仕切装置を提供する。【解決手段】  上下に分割した複数のパネルを上下方向に設け、表裏両面において上下パネル１間にハンギング溝２６あるいは横目地部を形成した間仕切パネルを、横方向に複数連結して構成する間仕切装置であって、終端部に位置する間仕切パネルに設ける端部カバー４９に、表裏両面の前記ハンギング溝あるいは横目地部に連続する横溝６２を形成した。また、複数の間仕切パネルを、コーナーポストを介して平面視Ｌ字状又はＴ字状に連結する際に、前記コーナーポストの非連結面に設けたポストカバーに、前記ハンギング溝あるいは横目地部に連続する横溝を形成した。【選択図】        図１７
2009102851.tif 000002
【特許請求の範囲】
【請求項１】
上下に分割した複数のパネルを上下方向に設け、表裏両面において上下パネル間にハンギング溝あるいは横目地部を形成した間仕切パネルを、横方向に複数連結して構成する間仕切装置であって、終端部に位置する間仕切パネルに設ける端部カバーに、表裏両面の前記ハンギング溝あるいは横目地部に連続する横溝を形成したことを特徴とする間仕切装置。
【請求項２】
複数の間仕切パネルを、コーナーポストを介して平面視Ｌ字状又はＴ字状に連結する際に、前記コーナーポストの非連結面に設けたポストカバーに、前記ハンギング溝あるいは横目地部に連続する横溝を形成してなる請求項１記載の間仕切装置。
【発明の詳細な説明】
【技術分野】
【０００１】
本発明は、間仕切装置に係わり、更に詳しくは上下のパネル間にハンギング溝あるいは横目地部を形成した間仕切装置に関するものである。
【背景技術】
【０００２】
従来からフレームの表裏両面に分割パネルを上下方向に取付け、上下の分割パネル間にハンギング溝や横目地部を設ける構造の間仕切パネルは各種提供されている。このような間仕切パネルを連結する場合、支柱を介さずに連結するものもあり、その場合には隣接する間仕切パネルのハンギング溝や横目地が直線状に並ぶように設定されている。
【０００３】
例えば、特許文献１には、フレームの表裏両面に複数に分割したパネルを取付け、上下パネル間に横目地部を形成した間仕切パネルが開示されているが、端部カバーは上下全長に亘って設けられているため、該端部カバーによって目地部は途切れる。
【０００４】
また、特許文献２には、フレームの両縦杆の表裏両面に、該縦杆に形成した係合孔に分割パネルの背面両側部に設けたフックを係止して上下方向に順次取付け、上下パネル間に目地部を形成した間仕切パネルが開示されている。しかし、この場合も、フレームの側端部に取付ける側カバーは、上下全長に亘る長さを有しており、必然的に間仕切装置の終端部において横目地部が途切れる。
【０００５】
また、複数の間仕切パネルを平面視Ｌ字状、Ｔ字状あるいは十字状に連結する場合には、通常コーナーポストを用いる。ここで、平面視Ｌ字状及びＴ字状の連結の場合には、少なくともコーナーポストの一面が露出するので、その側面にはＬ字形や平面状のカバーが設けられる。このコーナーポストのカバーは、間仕切パネルの高さに略等しい長さの一体型のものが使用される。従って、コーナーポスト両側に位置する間仕切パネルのハンギング溝や横目地部が、コーナーポストのカバーで遮断される。しかし、従来は、このように複数連結した間仕切パネルの横方向に延びたハンギング溝や横目地部の外観性における連続性を重視した設計はなされていなかった。
【特許文献１】実用新案登録第２５０９８７１号公報
【特許文献２】特開２００５−１１３４５６号公報（図１、図２）
【発明の開示】
【発明が解決しようとする課題】
【０００６】
そこで、本発明が前述の状況に鑑み、解決しようとするところは、上下に分割した複数のパネルを上下方向に設け、表裏両面において上下パネル間にハンギング溝あるいは横目地部を形成した間仕切パネルを、横方向に複数連結して構成する間仕切装置において、間仕切パネルの終端部及びコーナーポストを介した連結部でもハンギング溝や横目地部の外観性における連続性を有する間仕切装置を提供する点にある。
【課題を解決するための手段】
【０００７】
本発明は、前述の課題解決のために、上下に分割した複数のパネルを上下方向に設け、表裏両面において上下パネル間にハンギング溝あるいは横目地部を形成した間仕切パネルを、横方向に複数連結して構成する間仕切装置であって、終端部に位置する間仕切パネルに設ける端部カバーに、表裏両面の前記ハンギング溝あるいは横目地部に連続する横溝を形成したことを特徴とする間仕切装置を構成した（請求項１）。
【０００８】
また、複数の間仕切パネルを、コーナーポストを介して平面視Ｌ字状又はＴ字状に連結する際に、前記コーナーポストの非連結面に設けたポストカバーに、前記ハンギング溝あるいは横目地部に連続する横溝を形成してなることも好ましい（請求項２）。
【発明の効果】
【０００９】
以上にしてなる請求項１に係る発明の間仕切装置は、終端部に位置する間仕切パネルに設ける端部カバーに、表裏両面の前記ハンギング溝あるいは横目地部に連続する横溝を形成したので、間仕切パネルの終端部でもハンギング溝や横目地部の外観性における連続性を有するのである。
【００１０】
請求項２によれば、複数の間仕切パネルを、コーナーポストを介して平面視Ｌ字状又はＴ字状に連結する際に、前記コーナーポストの非連結面に設けたポストカバーに、前記ハンギング溝あるいは横目地部に連続する横溝を形成したので、コーナーポストを介した連結部でもハンギング溝や横目地部の外観性における連続性を有するのである。
【発明を実施するための最良の形態】
【００１１】
次に、添付図面に示した実施形態に基づき、本発明を更に詳細に説明する。本発明に係る間仕切装置は、上下に分割した複数のパネルを上下方向に設け、表裏両面において上下パネル間にハンギング溝あるいは横目地部を形成した間仕切パネルを、横方向に複数連結して構成する間仕切装置であって、終端部に位置する間仕切パネルに設ける端部カバーに、表裏両面の前記ハンギング溝あるいは横目地部に連続する横溝を形成したものである。複数の間仕切パネルを支柱を介さずに直線状に連結することができる構造のものであるが、平面視Ｌ字状又はＴ字状、あるいは十字状に連結する場合には、コーナーポストを介して方向を変えて連結できるようにする。その場合にも、前記コーナーポストの非連結面に設けたポストカバーに、前記ハンギング溝あるいは横目地部に連続する横溝を形成するのである。尚、間仕切パネルの構造としては、単位パネルを上方へ積上げる構造ものや、フレームの表裏両面に分割パネルを上下方向に順次取付ける構造のものを採用できる。
【実施例１】
【００１２】
図１〜図８は本発明に係る積上げ式の間仕切装置の第１実施例を示し、図中符号１は単位パネル、２は下連結具、３は上連結具、４は締結具をそれぞれ示している。
【００１３】
本発明に係る間仕切装置は、アルミ押出し型材からなる複数の単位パネル１，…を下連結具２、上連結具３及び締結具４とからなる連結手段にて上下左右に連結して所望の高さ及び長さの間仕切装置を構成するものである。更には、同じくアルミ押出し型材からなる笠木部材５、笠木カバー６及び巾木部材７が、直線状に連結して間仕切装置を構築するための最小構成となる。それ以外に、パネル終端面の処理やＬ字状、Ｔ字状あるいは十字状に連結するための端部カバーやコーナーポスト及びポストカバー等が必要であるが、これらの構成については後述する。
【００１４】
先ず、図１〜図８に示すように、前記単位パネル１は、上下幅が２００ｍｍを基本寸法とし、横幅はアルミ押出し型材を適宜な長さに切断して４５０〜３６００ｍｍまでの範囲で複数種類を作製する。何れの横幅の単位パネル１も両端部の後加工は共通する。具体的には、前記単位パネル１は、表面板８と裏面板９とが下嵌合部１０と上嵌合部１１及び単又は複数の連結部１２，…で連結された中空形状であり、両側切断面において中央部に凹溝１３を形成し、両側に切断面を覆う鍔部１５と凹溝部１６を設けた端部部材１４を、該凹溝部１６を凹溝１３に嵌合するとともに、前記連結部１２，…にネジ止めし、該端部部材１４の凹溝部内に下係止部１７と上係止部１８を形成したものである。
【００１５】
実際には、前記凹溝１３は、下嵌合部１０と上嵌合部１１及び単又は複数の連結部１２，…の中央部を切り欠いて形成する。そして、前記連結部１２の中央部に一体形成された断面Ｃ字形の下穴１９に前記端部部材１４の凹溝部１６の底部から貫通させたタッピンねじ２０を螺合して取付ける。また、前記端部部材１４の凹溝部１６の両側壁の途中部から互いに対向する方向に一対のリブ２１，２１を突設し、該リブ２１，２１の下端部を切り欠いて前記下係止部１７を形成するとともに、該リブ２１，２１の上端部を切り欠いて前記上係止部１８を形成している。
【００１６】
そして、前記単位パネル１の下嵌合部１０と上嵌合部１１は、互いに凹凸嵌合してパネル面外方向の変位を規制する構造となっている。具体的には、前記下嵌合部１０には下方へ開放した係合溝２２，２２を形成し、前記上嵌合部１１には前記下嵌合部１０の係合溝２２に係入する上方へ突設した突片２３，２３を突設している。更に、前記単位パネル１の表面板８と裏面板９の上下縁に沿って係止縁２４，…を形成し、上下に位置する単位パネル１，１の係止縁２４，２４を対向させ且つその間に開口部２５を設けて上下の単位パネル間に沿ってハンギング溝２６を形成するようになっている。尚、前記ハンギング溝２６は、前記係止縁２４の他に前記下嵌合部１０と上嵌合部１１の一部も使用して構成され、上下の単位パネル１，１の接合線が該ハンギング溝２６の開口部２５の上縁に一致するように設定し、接合線が見立たないようにしている。同様に、前記笠木部材５と単位パネル１間、前記巾木部材７と単位パネル１間にもハンギング溝２６が形成される。
【００１７】
次に、前記単位パネル１，１を上下左右に連結する連結構造について、図１〜図３に基づいて詳細に具体的に説明する。本発明の場合、連結部には支柱を介在させず、共通の連結手段で上下方向の連結と左右方向（横方向）の連結を同時に実現することが特徴である。前記下連結具２は、ブロック状の金属部材であり、両側に前記下係止部１７に下方から係止する係止爪部２７，２７を上部に有するとともに、上部中央部に筒部を突設して角孔２８を形成し、該角孔２８の内部に上下貫通した通孔２９を形成し、更に下部に第１係合部３０を形成している。
【００１８】
一方、前記上連結具３は、ブロック状の金属部材であり、両側に前記上係止部１８に上方から係止する係止爪部３１，３１を下部に有するとともに、下部中央部に筒部を突設して角孔３２を形成し、該角孔３２の内部に上下貫通した通孔３３を形成し、更に上部に第２係合部３４を形成している。ここで、前記下連結具２の第１係合部３０が内部よりも開口部が狭い係合凹部であり、前記上連結具３の第２係合部３４が側面視略Ｔ字形の係合凸部であり、パネル面内方向にスライド係合してそれぞれ互いに上下変位不能に係合する構造である。
【００１９】
そして、前記締結具４は、前記下連結具２の角孔２８と前記上連結具３の角孔３２に上下摺動可能に嵌入する断面正方形の連結軸３５と締結ネジ３６，３６とからなり、前記連結軸３５の両端部に軸方向に螺孔３７を形成している。前記締結具４の下端部を前記下連結具２の角孔２８に嵌合し、締結ネジ３６を下方から通孔３３に通して螺孔３７に螺合する。また、前記締結具４の上端部を前記上連結具３の角孔３２に嵌合し、締結ネジ３６を上方から通孔３３に通して螺孔３７に螺合する。ここで、前記締結具４は、全て両端部部材１４，１４の凹溝部１６，１６内に収容されるようになっている。
【００２０】
そして、前記単位パネル１，…を上下左右に連結するには、下段から上段へ順次締結具４を用いて行う。先ず、前記連結軸３５の下端部を下連結具２に連結した状態で、該下連結具２の両係止爪部２７，２７を、左右の単位パネル１，１の端部同士、具体的にはそれぞれの端部部材１４，１４の鍔部１５，１５同士を接合し、各端部部材１４，１４の下係止部１７，１７に係止する。この際に、前記連結軸３５は凹溝部１６，１６で形成される縦孔内に立起状態で位置する。それから、上方から前記上連結具３の角孔２８内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３７に螺合する。この締結ネジ３６を締め付けることにより、下連結具２と上連結具３を引き付けるとともに、前記係止爪部２７，２７及び係止爪部３１，３１の傾斜を利用して左右の単位パネル１，１を引き寄せて連結するのである。
【００２１】
ここで、前記端部部材１４の一方の鍔部１５には、凹溝部１６の開口部に沿って突条１５Ａを形成するととともに、他方の鍔部１５には、凹溝部１６の開口部に沿って条溝１５Ｂを形成している。そして、左右の単位パネル１，１を連結する際に、各端部部材１４，１４の鍔部１５，１５を接合すると、前記突条１５Ａと条溝１５Ｂが係合し、パネル面外方向への変位を規制し、正確な位置で連結することができるようになっている。
【００２２】
そして、既に左右に連結した単位パネル１，…の上段に単位パネル１，１を連結するには、図１に示すように、下段の単位パネル１，１の連結に用いた上連結具３を利用する。具体的には、前記連結軸３５の下端部を下連結具２に連結した状態で、該下連結具２の第１係合部３０を、下段の連結に用いた上連結具３の第２係合部３４にパネル面内方向からスライド係合させて立起状態に維持し、その状態で両単位パネル１，１の下嵌合部１０を、下段の単位パネル１，１の上嵌合部１１に載置して凹凸嵌合するとともに、各端部部材１４，１４の下係止部１７，１７を下連結具２の両係止爪部２７，２７に係合させる。その後は、前記同様に上方から前記上連結具３の角孔２８内に連結軸３５の上端部を嵌合するとともに、両係止爪部３１，３１を各端部部材１４，１４の上係止部１８，１８に係止し、上方から締結ネジ３６を通孔３３を通して挿入し、前記連結軸３５の螺孔３７に螺合する。すると、前記下連結具２が引き上げられ、該第１係合部３０が下方の上連結具３の第２係合部３４に強く係合する。この際、前記下連結具２の両係止爪部２７，２７が各端部部材１４，１４の下係止部１７，１７に同時に強く接触するように寸法設定することが好ましい。
【００２３】
次に、前記笠木部材５と巾木部材７とを連結する構造を図１、図４、図５〜図８に基づいて簡単に説明する。前記笠木部材５、笠木カバー６及び巾木部材７は、アルミ押出し型材から作製されており、前記単位パネル１の横幅に応じて適宜長さに切断される。前記笠木部材５の下部の嵌合部３８の形状は、前記単位パネル１の下嵌合部１０の形状と一致し、また前記巾木部材７の上部の嵌合部３９の形状は、前記単位パネル１の上嵌合部１１の形状と一致している。
【００２４】
前記笠木部材５を最上段の単位パネル１の上端に取付けるには、該笠木部材５の底面を貫通させたネジ４０の下部に長方形の係止片４１の中央部を螺合し、前記単位パネル１の上嵌合部１１の両突片２３，２３の間から前記係止片４１を内部に挿入し、前記ネジ４０を締め付けることにより、該係止片４１が約８０度回転して該突片２３，２３の下部に係止され、更に締め付けることにより笠木部材５の嵌合部３８と単位パネル１の上嵌合部１１が強固に嵌合する。そして、前記笠木部材５の上部には両側縁を除いて凹陥部４２が形成されているので、該凹陥部４２内に複数の保持具４３を回転係止し、該保持具４３，…に前記笠木カバー６を嵌着して凹陥部４２を塞いでいる。
【００２５】
前記巾木部材７は、両端部に前記単位パネル１の凹溝１３と同様な凹溝４４を形成し、該凹溝４４に上段の単位パネル１の端部部材１４の下方延長部を嵌合し、前記同様にネジ止めするとともに、上部の嵌合部３９を単位パネル１の下嵌合部１０に凹凸嵌合する。尚、前記巾木部材７には適宜アジャスター４５を設けている。
【００２６】
ここで、本発明に係る間仕切装置は、現場で順次積上げて構築することが特徴であるが、下部は最小限の高さが必要であるので、当該巾木部材７と１枚〜４枚の単位パネル１，…を予め工場出荷時点で連結しておくことも好ましい。その場合には、長尺の前記端部部材１４，１４を用いて巾木部材７と単位パネル１，…を上下に連結する。そして、この複合パネルを左右に連結するには、上下高さに応じた長尺の連結軸３５を用意するだけで良く、その他の下連結具２や上連結具３は共通のものを使用できる。
【００２７】
前記笠木部材５の端部には、合成樹脂製の笠木キャップ４６を嵌着して端部を閉塞している。尚、前記笠木キャップ４６のフランジ部４７の厚さは、前記端部部材１４の鍔部１５の厚さと一致させ、また内部には前記上連結具３を収容する凹部４８を設けている。
【００２８】
このように複数の単位パネル１，…を上下左右に連結した状態は、図８に主要部分を示している。この場合、上下の単位パネル１，１間に形成したハンギング溝２６は左右に連続して目地部を兼ねている。また、左右の単位パネル１，１間には端部部材１４，１４の鍔部１５，１５が重なって存在している以外に何もなく、すっきりとした外観となっている。同様に、最上段の単位パネル１と笠木部材５との間にも前記同様なハンギング溝２６が設けられている。また、最下段の単位パネル１と前記巾木部材７との間にも前記同様なハンギング溝２６が設けられている。前記単位パネル１の表面板８と裏面板９、笠木部材５及び巾木部材７の側面は、横方向に延び、上下方向に繰り返しの波形面となっており、全体として統一的な意匠を構成している。
【００２９】
図９は、左右方向に連結した単位パネル１，１で笠木部材５を装着する前の状態を示している。図１０は、終端部に位置する単位パネル１の端部に平面視コ字形の端部カバー４９を連結部材５０を介して取付けた状態を示している。図１１は、二つの単位パネル１，１をコーナーポスト５１とスペーサー５２を介してＬ字状に連結するとともに、コーナーポスト５１を平面視Ｌ字形のポストカバー５３で覆ったＬ字状連結状態を示している。図１２は、三つの単位パネル１，…をコーナーポスト５１と二つのスペーサー５２を介してＴ字状に連結するとともに、コーナーポスト５１を平面視直線状のポストカバー５４で覆ったＴ字状連結状態を示している。そして、図１３は、四つの単位パネル１，…をコーナーポスト５１と三つのスペーサー５２を介して十字状に連結した十字状連結状態を示している。これらの連結状態において全てコーナーポスト５１とスペーサー５２は共通部材である。
【００３０】
先ず、図１４及び図１７に基づいて、終端部の処理を説明する。前記平面視コ字形の端部カバー４９は、前記単位パネル１の表面と同じ波形面を形成したアルミ押し出し型材を加工して形成したものである。前記端部カバー４９の内側の少なくとも上部に係止部５５を形成し、上下縁には前記単位パネル１の係止縁２４と同様な端縁５６，５６を形成している。前記連結部材５０は、前記端部部材１４と略同じ断面を持つアルミ押し出し型材から作製し、凹溝部５７と両側に鍔部５８，５８を有している。この連結部材５０の鍔部５８，５８と単位パネル１の端部部材１４の鍔部１５，１５を接合した際に、前記同様にパネル面外方向へズレないように凹凸嵌合するようにしている。そして、前記連結部材５０の凹溝部５７の内部の下端部に前記同様な下係止部５９を形成し、上端部に上係止部６０を形成し、前記下連結具２、上連結具３及び締結具４を用いて端部部材１４に連結部材５０を連結できるようにしている。前記連結部材５０の凹溝部５７の上端部の底部に係止具６１を取付け、該係止具６１に前記端部カバー４９の係止部５５を係止するとともに、該端部カバー４９の下端４９Ａを下段の端部カバー４９の上端４９Ｂに凹凸嵌合して保持する。ここで、上下の端部カバー４９，４９の端縁５６，５６の間には、図１７に示すように、前記ハンギング溝２６に連続する横溝６２が形成される。また、最上段の端部カバー４９の上端と前記笠木部材５の端部の空間部には、上端キャップ６３を取付け、該上端キャップ６３と最上段の端部カバー４９の間にも前記同様な横溝６２が形成されるようになっている。
【００３１】
次に、図１５、図１６及び図１８に基づいて、Ｌ字状連結部の構造を説明する。前述のように、コーナーポスト５１とスペーサー５２を用いて連結し、該コーナーポスト５１の外面に平面視Ｌ字形のポストカバー５３を取付けるようになっている。前記コーナーポスト５１は、アルミ押し出し型材から作製し、中央部に四角形の筒部６４を有し、その四隅から放射状に鉤片６５，…が延び、一対の鉤片６５，６５で前記連結部材５０の凹溝部５７と同様な凹溝部６６を形成するとともに、その両端部に鍔部６７，６７を一体形成した概略形状である。そして、前記コーナーポスト５１の凹溝部６６内の下端部と上端部にそれぞれ下係止部６８と上係止部６９を形成し、前記同様に下連結具２、上連結具３及び締結具４を用いて単位パネル１の端部部材１４に連結できるようになっている。前記コーナーポスト５１のその他の三方面は、前記凹溝部６６が途中で切断された形状であり、この部分に前記スペーサー５２を接合できるようになっているとともに、前記係止具６１を取付けることができるように対向する両鉤片６５，６５の内向きリブ７０，７０に切欠部７１を形成するとともに、下端部に下係止部７２と上端部に上係止部７３を形成している。前記スペーサー５２は、アルミ押し出し型材から作製し、中央部に溝形状の接合部７４を有し、その両側に前記端部部材１４の鍔部１５，１５と同様な鍔部７５，７５を形成している。尚、前記スペーサー５２の接合部７４の上下端部は、前記端部部材１４の下連結部１７と上係止部１８と同じ位置に切欠部７６，７６を設け、前記下連結具２と上連結具３を受け入れることができるようになっている。前記ポストカバー５３は、前記端部カバー４９と同一断面形状の型材を加工して、平面視Ｌ字形に成形したものであり、内面の上部に係止部７７を有するとともに、下端５３Ａと上端５３Ｂとは互いに凹凸嵌合する形状となっている。
【００３２】
そして、前記コーナーポスト５１の鍔部６７，６７を有する側に単位パネル１の端部部材１４を接合して前記同様に下連結具２、上連結具３及び締結具４にて連結するとともに、その片隣りの面の両鉤片６５，６５に前記スペーサー５２の接合部７４を当接し、該スペーサー５２の鍔部７５，７５に他の単位パネル１の端部部材１４の鍔部１５，１５を接合した状態で、前記同様に下連結具２、上連結具３及び締結具４にて連結する。前記コーナーポスト５１の残りの二面の切欠部７１，７１にそれぞれ前記係止具６１，６１を取付け、前記ポストカバー５３の係止部７７を係止し、下端５３Ａを下段のポストカバー５３の上端５３Ｂに凹凸嵌合して保持する。前記同様に、上下のポストカバー５３，５３の間には、前記ハンギング溝２６に連続する横溝７８が形成され、上端キャップ７９と最上段のポストカバー５３の間にも横溝７８が形成されている。
【００３３】
また、図１９に示すように、Ｔ字状連結部においては、前述のＬ字状連結部と略同じであるが、ポストカバー５４が直線状の平面視形状を有している。前記コーナーポスト５１の鍔部６７，６７を有する側に単位パネル１の端部部材１４を接合して前記同様に下連結具２、上連結具３及び締結具４にて連結するとともに、その両隣りの面の両鉤片６５，６５にそれぞれ前記スペーサー５２の接合部７４を当接し、該スペーサー５２の鍔部７５，７５に他の単位パネル１の端部部材１４の鍔部１５，１５を接合した状態で、前記同様に下連結具２、上連結具３及び締結具４にて連結する。前記コーナーポスト５１の残りの一面には、前記切欠部７１に前記係止具６１を取付け、前記ポストカバー５４を係止するとともに、下段のポストカバー５４と嵌合する。そして、前記同様に上下のポストカバー５４，５４の間には、前記ハンギング溝２６に連続する横溝８０が形成され、上端キャップ８１と最上段のポストカバー５４の間にも横溝８０が形成されている。
【００３４】
そして、十字状連結部の連結構造は図示しないが、この場合には前記コーナーポスト５１の４面に単位パネル１，…を連結するので、前述のようなポストカバーは不要である。つまり、前記コーナーポスト５１の鍔部６７，６７を有する側に単位パネル１の端部部材１４を接合して前記同様に下連結具２、上連結具３及び締結具４にて連結するとともに、残りの三面の両鉤片６５，６５に前記スペーサー５２の接合部７４を当接し、該スペーサー５２の鍔部７５，７５に他の単位パネル１の端部部材１４の鍔部１５，１５を接合した状態で、前記同様に締結具４にて連結する。
【００３５】
最後に、前記ハンギング溝２６を利用してオプションを取付ける使用例を、図２０〜図２２に基づいて簡単に説明する。図２０は、前記単位パネル１の表面に沿って化粧パネル１０１を係止部材１０２，…を用いて取付けた例を示している。前記係止部材１０２は、円柱状の本体部１０３の一端部に前記ハンギング溝２６の内部に係止する係止片１０４をＬ字状に形成するとともに、他端部に縮径した嵌合軸１０５を形成し、該嵌合軸１０５には内部に螺孔１０６を形成している。そして、上方のハンギング溝２６に前記係止部材１０２の係止片１０４を上向きにして係止し、下方のハンギング溝２６に前記係止部材１０２の係止片１０４を下向きにして係止した状態で、各係止部材１０２の嵌合軸１０５に前記化粧パネル１０１の貫通孔１０７を密嵌し、表側から止めネジ１０８を前記嵌合軸１０５の螺孔１０６に螺合して保持する。
【００３６】
また、図２１は、前記単位パネル１の表面に沿って黒板やホワイトボード等のボード１０９を取付ける例を示している。前記ボード１０９の背面上下縁部に同一形状の支持枠１１０，１１０を互いに上下反転させて取付け、該支持枠１１０の背面に横長の係合溝１１１が形成されている。そして、上部の支持枠１１０の係合溝１１１を利用して上部係止部材１１２を取付け、下部の支持枠１１０の係合溝１１１を利用して下部係止部材１１３を取付ける。上部係止部材１１２は、ブロック状の本体部１１４の一側面に前記ハンギング溝２６に係止する係止片１１５を形成するとともに、他側面に前記係合溝１１１に回転係合する小判状の係止板１１６を形成している。前記係合溝１１１は、開口部よりも内部が上下に広がった形状となっているため、前記係止板１１６を横向きにした状態で開口部から挿入し、９０度回転させて係合溝１１１の上下縁に圧接状態で係止する。一方、前記下部係止部材１１３は、ブロック状の本体部１１７の下縁に前記ハンギング溝２６の上側の係止縁２４に弾性的に係合する係止爪１１８を形成するとともに、前面に前記同様の小判状の係止板１１９を形成し、前記同様にして下部の支持枠１１０の係合溝１１１に係止する。その状態で、上方のハンギング溝２６に上部係止部材１１２の上向き係止片１１５を係止した後、下部係止部材１１３の係止爪１１８を下方のハンギング溝２６の上側係止縁２４に弾性的に係止する。この状態のまま、ハンギング溝２６に沿ってボード１０９を横方向に移動させることも可能であるが、ボード１０９の下端を手前に引いて係止爪１１８をハンギング溝２６から外せば、簡単に上部係止部材１１２の係止片１１５もハンギング溝２６から外すことができ、所望位置まで移動させた後、同様に取付けることができる。
【００３７】
図２２は、棚板１２０を一つのハンギング溝２６を利用して保持する使用例を示している。前記棚板１２０は、複数のアルミ押し出し型材を組み合わせて構成したものであり、基端部上縁に沿って上向き係止爪１２１を設けるとともに、その下方に単位パネル１の表面に当止する当止部１２２を形成している。この場合、前記棚板１２０の手前を持ち上げた傾斜状態で、前記係止爪１２１をハンギング溝２６の上部に係止した後、水平に戻すことで係止爪１２１の下端がハンギング溝２６の下側の係止縁２４に当止するとともに、当止部１２２が下方位置の単位パネル１の表面に当止して保持される。また、前記棚板１２０の下面基部には前記当止部１２２まで延びた傾斜面１２３を有し、該傾斜面１２３に設けた開口部に照明器具１２４を取付けている。
【実施例２】
【００３８】
次に、図２３〜図２７に基づいて本発明の間仕切装置の第２実施例を説明する。図中符号２０１はフレーム、２０２は分割パネル、２０３は巾木、２０４は笠木、２０５は端部カバー、２０６は巾木カバー、２０７はハンギング溝をそれぞれ示している。
【００３９】
本発明に係る間仕切装置は、金属製で枠組み形成したフレーム２０１の表裏両面に、共にアルミ押出し型材からなる巾木２０３、分割パネル２０２，…を下方から上方へ向けて順次取付け、上端に笠木２０４を取付け、そして側端部に複数の端部カバー２０５，…及び巾木カバー２０６を取付け、上下の分割パネル２０２，２０２間、最下段の分割パネル２０２と巾木２０３間、最上段の分割パネル２０２と笠木２０４間に横方向に延びたハンギング溝２０７，…を形成した構造である。
【００４０】
本発明に係る間仕切装置を側方へ連設するには、前記フレーム２０１，２０１を直接連結し、それぞれのフレーム２０１に、あるいは複数のフレーム２０１，…に渡って前記分割パネル２０２等を取付ける。ここで、前記フレーム２０１は、スチール製の両縦杆２０８，２０８の少なくとも上下端部に横杆２０９．２０９を連結して構成し、上下高さが高いタイプでは上下の横杆２０９，２０９の間に単又は複数の横桟を連結して強度を確保する。
【００４１】
前記端部カバー２０５は前記分割パネル２０２の上下幅と同じ上下寸法に設定するとともに、前記巾木カバー２０６巾木２０３の上下幅と同じ上下寸法に設定し、上下の端部カバー２０５，２０５間、最下段の端部カバー２０５と巾木２０３間及び最上段の端部カバー２０５と笠木キャップ２１０との間に、前記ハンギング溝２０７と連続する横溝２１１，…が形成されるようになっている。
【００４２】
更に詳しくは、前記分割パネル２０２は、図２６及び図２７に示すように、アルミ押出し型材を適宜長さに切断したものであり、パネル本体２１２上端の前縁に第１係止縁２１３を上方へ突設するとともに、後縁に該第１係止縁２１３よりも上方へ延びた固定片２１４を突設し、前記パネル本体２１２上端と第１係止縁２１３及び固定片２１４とで上方へ開口した凹溝２１５を形成し、パネル本体２１２下端の後縁部に前記固定片２１４の前面側で前記凹溝２１５内に係合し得る形状の脚片２１６を下方へ突設している。
【００４３】
このような構造の複数の分割パネル２０２，…を前記フレーム１の両縦杆２０８，２０８に下方から上方へ向けて順次ネジ止めするのである。つまり、前記フレーム２０１の両縦杆２０８，２０８の前面側に分割パネル２０２を沿わせて前記固定片２１４に穿設した通孔２１７を前方から前記縦杆２０８にネジ２１８で固定し、下段の分割パネル２０２の凹溝２１５内に、第１係止縁２１３の上方に空間部を残して上段の分割パネル２２の脚片２１６下端部を上方から嵌合して保持することにより、前記第１係止縁２１３の上方の空間部及び残余の凹溝２１５とでハンギング溝２０７を形成するのである。
【００４４】
また、前記分割パネル２０２のパネル本体２１２下端であって、前記脚片２１６の背面側に下段の分割パネル２０２の固定片２１４の上端を嵌合する係合溝２１９を形成し、更に前記分割パネル２０２の脚片２１６の下端に前方へ延びた受片２２０を形成している。そして、上段の分割パネル２０２の脚片２１６を下段の分割パネル２０２の凹溝２１５内に嵌合する際に、下段の分割パネル２０２の固定片２１４の上端を前記係合溝２１９に嵌合すると同時に、前記受片２２０を下段の分割パネル２０２の凹溝２１５の底面に係合し、ガタつきのない精確な嵌合を実現している。
【００４５】
更に、前記分割パネル２０２のパネル本体２１２下端の前縁に、前記脚片２１６よりも短い第２係止縁２２１を下方へ突設して、前記パネル本体２１２下端と第２係止縁２２１及び脚片２１６とで下方へ開口した溝部２２２を形成してあり、それにより前記フレーム２０１の上下に取付けた分割パネル２０２，２０２間に断面略Ｔ字形の空間からなるハンギング溝２０７を形成するのである。つまり、下段の分割パネル２０２の第１係合縁２１３と上段の分割パネル２０２の第２係合縁２２１の間には開口溝が形成され、その内部に上下部に広がった空間を有するハンギング溝２０７が形成されるのである。
【００４６】
また、前記分割パネル２０２のパネル本体２１２は、外形が断面略四角形の偏平な中空状となっており、前板２２３と裏板２２４の上下端及び中間部を連結部２２５で連結した強度の高い構造である。また、分割パネル２０２の表面側は、横方向に延び、上下方向に繰り返しの波形面となっている。本実施形態では、分割パネル２０２をフレーム２０１に取付けた状態で、上下のハンギング溝２０７のピッチが２００ｍｍになるように、重なり部分を考慮して上下寸法が決められている。また、分割パネル２０２の横方向の寸法は、９００〜４５００ｍｍまでの範囲で複数種類を用意する。これは、アルミ押出し型材を適宜長さに切断するだけであるので容易である。
【００４７】
前記分割パネル２０２の切断端面を覆うために合成樹脂製の端部キャップ２２６を嵌着する。この端部キャップ２２６は、前記ハンギング溝７の開口溝を除いて分割パネル２０２の切断端面を覆う形状の化粧板２２７の内側面に前記パネル本体２１２等の中空部に嵌合する突部２２８，…を突設したものである。前記端部キャップ２２６の化粧板２２７は、分割パネル２０２，２０２を左右に接近させてフレーム２０１に取付けた際に、接合部に２枚が重なって縦目地を形成するが、その板厚を薄くしていることから、大きくは目立たないようになっている。
【００４８】
前記巾木３の上部の構造は、前記分割パネル２０２の上部構造と一致し、また前記笠木２０４の両側下部構造は、前記分割パネル２０２の下部構造と一致するようにしている。従って、先ず巾木３を固定片２１４に相当する固定片を縦枠２０８，２０８にネジ止めし、その上方に前述のように順次分割パネル２０２，…を下段のネジ止め箇所を隠しながらネジ止めし、これをフレーム２０１の表裏両面で行い、最後に笠木２０４を上方から上端の横杆２０９に取付けて前記脚片２１６に相当する一対の脚片で最上段の分割パネル２０２，２０２のネジ止め箇所を隠すのである。また、前記端部カバー２０５及び巾木カバー２０６は、前記分割パネル２０２の表面と同じ波形面となっており、端部に位置する縦枠２０８に適宜な係止手段等を用いて、間に横溝２１１を形成しながら、下方から順次取付けるのである。このようにすることにより、分割パネ２０２及びハンギング溝２０７、更に表面模様までもが外観性において端部から裏面へ連続するのである。
【図面の簡単な説明】
【００４９】
【図１】本発明に係る積上げ式の間仕切装置の要部の分解斜視図である。
【図２】単位パネルを上下に連結する構造を示す要部の分解斜視図である。
【図３】複数の単位パネルを上下左右に連結した状態の部分縦断正面図である。
【図４】単位パネルの端部の構造と笠木部材との関係を示す分解斜視図である。
【図５】単位パネルの端部の構造と笠木部材及び巾木部材との関係を示す分解斜視図である。
【図６】同じく単位パネルと笠木部材及び巾木部材との関係を示す縦断側面図である。
【図７】単位パネルに笠木部材を取付ける構造と笠木カバーを保持する構造を示す平面図である。
【図８】複数の単位パネルを上下左右に直線状に連結した状態の部分斜視図である。
【図９】同じく直線状連結部の部分平面図である。
【図１０】端部カバーを用いた終端部の処理構造を示す部分平面図である。
【図１１】Ｌ字状連結部の部分平面図である。
【図１２】Ｔ字状連結部の部分平面図である。
【図１３】十字状連結部の部分平面図である。
【図１４】終端部の処理構造を示す分解斜視図である。
【図１５】Ｌ字状連結部の構造を示す分解斜視図である。
【図１６】同じくコーナーポストとスペーサー及びポストカバーとの関係を示す分解斜視図である。
【図１７】終端部の斜視図である。
【図１８】Ｌ字状連結部の斜視図である。
【図１９】Ｔ字状連結部の斜視図である。
【図２０】ハンギング溝を利用して単位パネルの表面に沿って化粧パネルを取付けた使用例を示し、（ａ）は装着状態の部分縦断側面図、（ｂ）は係止部材の斜視図である。
【図２１】ハンギング溝を利用して単位パネルの表面に沿ってボードを取付けた使用例を示し、（ａ）は装着状態の部分縦断側面図、（ｂ）は上部係止部材の斜視図、（ｃ）は下部係止部材の斜視図である。
【図２２】ハンギング溝を利用して棚板を取付けた使用例を示す部分縦断側面図である。
【図２３】本発明に係る間仕切装置の正面図である。
【図２４】同じく一部省略した縦断面図である。
【図２５】フレームに分割パネルを取付ける様子を示した部分分解斜視図である。
【図２６】同じくフレームに分割パネルを取付ける様子を示した部分拡大縦断面図である。
【図２７】分割パネルの構造と端部キャップを示す部分分解斜視図である。
【符号の説明】
【００５０】
１  単位パネル、          ２  下連結具、
３  上連結具、            ４  締結具、
５  笠木部材、            ６  笠木カバー、
７  巾木部材、            ８  表面板、
９  裏面板、              １０  下嵌合部、
１１  上嵌合部、          １２  連結部、
１３  凹溝、              １４  端部部材、
１５  鍔部、              １６  凹溝部、
１７  下係止部、          １８  上係止部、
１９  下穴、              ２１  リブ、
２２  係合溝、            ２３  突片、
２４  係止縁、            ２５  開口部、
２６  ハンギング溝、      ２７  係止爪部、
２８  角孔、              ２９  通孔、
３０  第１係合部、        ３１  係止爪部、
３２  角孔、              ３３  通孔、
３４  第２係合部、        ３５  連結軸、
３６  締結ネジ、          ３７  螺孔、
３８  嵌合部、            ３９  嵌合部、
４０  ネジ、              ４１  係止片、
４２  凹陥部、            ４３  保持具、
４４  凹溝、              ４５  アジャスター、
４５  笠木キャップ、      ４７  フランジ部、
４８  凹部、              ４９  端部カバー、
５０  連結部材、          ５１  コーナーポスト、
５２  スペーサー、        ５３  ポストカバー、
５４  ポストカバー、      ５５  係止部、
５６  端縁、              ５７  凹溝部、
５８  鍔部、              ５９  下係止部、
６０  上係止部、          ６１  係止具、
６２  横溝、              ６３  上端キャップ、
６４  筒部、              ６５  鉤片、
６６  凹溝部、            ６７  鍔部、
６８  下係止部、          ６９  上係止部、
７０  リブ、              ７１  切欠部、
７２  下係止部、          ７３  上係止部、
７４  接合部、            ７５  鍔部、
７６  切欠部、            ７７  係止部、
７８  横溝、              ７９  上端キャップ、
８０  横溝、              ８１  上端キャップ、
１０１  化粧パネル、      １０２  係止部材、
１０３  本体部、          １０４  係止片、
１０５  嵌合軸、          １０６  螺孔、
１０７  貫通孔、          １０８  ネジ、
１０９  ボード、          １１０  支持枠、
１１１  係合溝、          １１２  上部係止部材、
１１３  下部係止部材、    １１４  本体部、
１１５  係止片、          １１６  係止板、
１１７  本体部、          １１８  係止爪、
１１９  係止板、          １２０  棚板、
１２１  係止爪、          １２２  当止部、
１２３  傾斜面、          １２４  照明器具、
２０１  フレーム、        ２０２  分割パネル、
２０３  巾木、            ２０４  笠木、
２０５  端部カバー、      ２０６  巾木カバー、
２０７  ハンギング溝、    ２０９  横杆、
２１０  笠木キャップ、    ２１１  横溝、
２１２  パネル本体、      ２１３  第１係止縁、
２１４  固定片、          ２１５  凹溝、
２１６  脚片、            ２１７  通孔、
２１８  ネジ、            ２１９  係合溝、
２２０  受片、            ２２１  第２係止縁、
２２２  溝部、            ２２３  前板、
２２４  裏板、            ２２５  連結部、
２２６  端部キャップ、    ２２７  化粧板、
２２８  突部。
【図１】
2009102851.tif 000003
【図２】
2009102851.tif 000004
【図３】
2009102851.tif 000005
【図４】
2009102851.tif 000006
【図５】
2009102851.tif 000007
【図６】
2009102851.tif 000008
【図７】
2009102851.tif 000009
【図８】
2009102851.tif 000010
【図９】
2009102851.tif 000011
【図１０】
2009102851.tif 000012
【図１１】
2009102851.tif 000013
【図１２】
2009102851.tif 000014
【図１３】
2009102851.tif 000015
【図１４】
2009102851.tif 000016
【図１５】
2009102851.tif 000017
【図１６】
2009102851.tif 000018
【図１７】
2009102851.tif 000019
【図１８】
2009102851.tif 000020
【図１９】
2009102851.tif 000021
【図２０】
2009102851.tif 000022
【図２１】
2009102851.tif 000023
【図２２】
2009102851.tif 000024
【図２３】
2009102851.tif 000025
【図２４】
2009102851.tif 000026
【図２５】
2009102851.tif 000027
【図２６】
2009102851.tif 000028
【図２７】
2009102851.tif 000029